(57)【特許請求の範囲】
【請求項１】
指令卓と、回線制御装置と、基地局装置と、複数の通信機器から構成された移動局装置を有し、前記通信機器と前記基地局装置とが無線により通信する無線通信システムにおいて、
前記複数の通信機器のそれぞれには、呼出情報として用いられる各移動局装置毎に共通な識別情報と、各通信機器毎に動作停止状態へ移行するための固有な識別情報が設定されており、
前記指令卓又は前記回線制御装置は、前記各移動局装置毎に共通な識別情報と前記各通信機器毎に動作停止状態へ移行するための固有な識別情報を記憶したメモリテーブルを有し、
当該無線通信システムは、前記メモリテーブルに記憶された前記各通信機器毎に動作停止状態へ移行するための固有な識別情報を用いて前記通信機器を指定して動作停止命令の指示信号を前記基地局装置により前記通信機器に対して送信する動作停止命令手段を備え、
前記通信機器は、前記基地局装置から前記動作停止命令の指示信号を受信する受信手段と、受信された前記動作停止命令の指示信号により指定された前記各通信機器毎に動作停止状態へ移行するための固有な識別情報が自機の識別情報と一致する場合に所定の動作停止状態へ移行する動作停止手段を備え、他の装置により呼び出される場合には前記各移動局装置毎に共通な識別情報によって呼び出され、送信は各通信機器で行う、
ことを特徴とする無線通信システム。
【請求項２】
指令卓と、回線制御装置と、基地局装置と、複数の通信機器から構成された移動局装置を有し、前記通信機器と前記基地局装置とが無線により通信する無線通信システムにおいて、
前記通信機器の動作停止状態として、異なる動作停止内容を規定する複数種類のモードの状態が設けられており、
前記複数の通信機器のそれぞれには、呼出情報として用いられる各移動局装置毎に共通な識別情報と、各通信機器毎に動作停止状態へ移行するための固有な識別情報が設定されており、
前記指令卓又は前記回線制御装置は、前記各移動局装置毎に共通な識別情報と前記各通信機器毎に動作停止状態へ移行するための固有な識別情報を記憶したメモリテーブルを有し、
当該無線通信システムは、前記メモリテーブルに記憶された前記各移動局装置毎に共通な識別情報又は前記各通信機器毎に動作停止状態へ移行するための固有な識別情報を用いて前記通信機器を指定して所定のモードを指定する動作停止命令の指示信号を前記基地局装置により前記通信機器に対して送信する動作停止命令手段を備え、
前記通信機器は、前記基地局装置から前記動作停止命令の指示信号を受信する受信手段と、受信された前記動作停止命令の指示信号により指定された識別情報が自機の識別情報と一致する場合に前記動作停止命令の指示信号により指定されたモードの動作停止状態へ移行する動作停止手段を備え、他の装置により呼び出される場合には前記各移動局装置毎に共通な識別情報によって呼び出され、送信は各通信機器で行う、
ことを特徴とする無線通信システム。
【請求項３】
請求項２に記載の無線通信システムにおいて、
前記複数種類のモードには、電源オン時における位置登録のための送受信を除いて受信を可能として送信を不可能とするモード、或いは、電源オン時における位置登録のための送受信を除いて制御データの受信と制御データの送信と通信データの送信と通話データの送信を可能として通信データの受信と通話データの受信を不可能とするモード、或いは、電源オン時における位置登録のための送受信を除いて受信も送信も不可能とするモードの１つ以上のモードが含まれる、
ことを特徴とする無線通信システム。
【請求項４】
複数の通信機器から構成され、当該通信機器により基地局装置と無線により通信する移動局装置において、
前記複数の通信機器のそれぞれには、呼出情報として用いられる各移動局装置毎に共通な識別情報と、各通信機器毎に動作停止状態へ移行するための固有な識別情報が設定されており、
前記通信機器は、前記各通信機器毎に動作停止状態へ移行するための固有な識別情報を用いて前記通信機器を指定して前記基地局装置から送信される動作停止命令の指示信号を受信する受信手段と、受信された前記動作停止命令の指示信号により指定された前記各通信機器毎に動作停止状態へ移行するための固有な識別情報が自機の識別情報と一致する場合に所定の動作停止状態へ移行する動作停止手段を備え、他の装置により呼び出される場合には前記各移動局装置毎に共通な識別情報によって呼び出され、送信は各通信機器で行う、
ことを特徴とする移動局装置。
【請求項５】
複数の通信機器から構成された移動局装置の当該通信機器に対して動作停止命令の指示信号を送信する管理側装置において、
前記複数の通信機器のそれぞれには、呼出情報として用いられる各移動局装置毎に共通な識別情報と、各通信機器毎に動作停止状態へ移行するための固有な識別情報が設定されており、
前記通信機器は、他の装置により呼び出される場合には前記各移動局装置毎に共通な識別情報によって呼び出され、送信は各通信機器で行うものであり、
当該管理側装置は、前記各移動局装置毎に共通な識別情報と前記各通信機器毎に動作停止状態へ移行するための固有な識別情報を記憶したメモリテーブルを有し、
当該管理側装置は、前記メモリテーブルに記憶された前記各通信機器毎に動作停止状態へ移行するための固有な識別情報を用いて前記通信機器を指定して動作停止命令の指示信号を前記通信機器に対して送信する動作停止命令手段を備えた、
ことを特徴とする管理側装置。
【発明の詳細な説明】
【技術分野】
【０００１】
本発明は、例えば、車載機と携帯機から構成される移動局装置と基地局装置との間で無線により通信する無線通信システムなどに関し、特に、車載機や携帯機を効果的に動作停止状態に設定する無線通信システムなどに関する。
【背景技術】
【０００２】
例えば、無線通信システムでは、基地局装置と移動局装置との間で無線により通信することが行われている。また、移動局装置が紛失などされたときには、不正な使用を防止するために、基地局装置から当該移動局装置へ所定の信号を無線送信して当該移動局装置を動作停止状態に設定することが行われている。基地局装置は各移動局装置において通話時に電話番号として使用される呼出情報（ＩＤ情報）を指定して動作停止のための指示信号を送信し、各移動局装置は自装置（当該各移動局装置）に設定されたＩＤ情報を含む指示信号を受信したことに応じて動作停止状態へ移行する。
【０００３】
動作停止状態が設定された移動局装置では、例えば電源がオフからオンにされたときに基地局装置に対して位置登録の要求を行う機能を除いては、全ての機能が使用不可能となる。そして、移動局装置の動作停止状態を解除するときには、当該移動局装置と所定のパーソナルコンピュータ（ＰＣ）とを有線で接続して、当該ＰＣから当該移動局装置へ動作許可データを書き込むことにより、当該移動局装置の動作停止状態が解除されて使用可能な状態へ移行する。
【０００４】
【特許文献１】特開２００２−３３８２２号公報
【非特許文献１】市町村デジタル移動通信システム  ＴＹＰＥ１  標準規格、ＡＲＩＢ  ＳＴＤ−Ｔ７９  １．０版、社団法人電波産業会
【発明の開示】
【発明が解決しようとする課題】
【０００５】
しかしながら、上記のような無線通信システムでは、紛失などされた移動局装置を動作停止させた場合に、当該移動局装置に設定されたＩＤ情報と同一のＩＤ情報を新たな他の移動局装置に設定して使用することができないといった問題があった。
また、或る人が移動局装置を紛失などしたために当該人が使用する移動局装置のＩＤ情報が変更された場合（例えば、電話番号が変更された場合）には、このような変更を他の人に通知することが必要であり、変更前のＩＤ情報が登録された全ての電話帳などの情報を書き換えることが必要であるといった問題があった。
また、動作停止状態では移動局装置のほとんど全ての機能が使用不可能となり、誤って設定してしまった場合には容易に解除することができないといった問題があった。
【０００６】
本発明は、このような従来の事情に鑑み為されたもので、移動局装置を効果的に動作停止状態に設定することができる無線通信システムなどを提供することを目的とする。
特に、本発明は、車載機と携帯機から構成される移動局装置と基地局装置との間で無線により通信する構成において、車載機や携帯機を効果的に全部或いは一部の動作停止状態に設定することができる無線通信システムなどを提供することを目的とする。
【課題を解決するための手段】
【０００７】
上記目的を達成するため、本発明に係る無線通信システムでは、次のような構成とした。
すなわち、当該無線通信システムでは、複数の通信機器から構成された移動局装置と、基地局装置を有し、前記通信機器と前記基地局装置とが無線により通信する。
前記複数の通信機器のそれぞれには、呼出情報として用いられる各移動局装置毎に共通な識別情報と、各通信機器毎に固有な識別情報が設定されている。
当該無線通信システムでは、動作停止命令手段が、前記各通信機器毎に固有な識別情報を用いて前記通信機器を指定して動作停止命令の指示信号を前記基地局装置により前記通信機器に対して送信する。
前記通信機器では、受信手段が、前記基地局装置から前記動作停止命令の指示信号を受信し、そして、動作停止手段が、受信された前記動作停止命令の指示信号により指定された前記各通信機器毎に固有な識別情報が自機の識別情報（各通信機器毎に固有な識別情報）と一致する場合に所定の動作停止状態へ移行する。
【０００８】
従って、呼出情報として用いられる識別情報とは別に、各通信機器毎に固有な識別情報が設けられて通信機器を動作停止状態に設定するために用いられるため、例えば、移動局装置（ここでは、各通信機器）を効果的に動作停止状態に設定することができる。
また、紛失などされた通信機器を動作停止状態に設定した場合においても、当該通信機器に設定された呼出情報と同一の呼出情報を新たな他の通信機器に設定して使用することが可能である。
【０００９】
ここで、移動局装置を構成する複数の通信機器の数としては、種々な数が用いられてもよい。
また、移動局装置や各通信機器としては、種々なものが用いられてもよい。
また、呼出情報は、例えば、基地局装置と移動局装置（ここでは、各通信機器）との間の無線通信において呼出対象となる移動局装置を特定するためなどに用いられる。
また、各移動局装置毎に共通な識別情報としては、種々な情報が用いられてもよく、例えば、電話番号の情報などが用いられ、同一の移動局装置を構成する通信機器には同一の識別情報がメモリに記憶されるなどして設定される。
また、各通信機器毎に固有な識別情報としては、種々な情報が用いられてもよく、例えば、マシンコードの情報などが用いられ、同一の移動局装置においても各通信機器毎に異なる識別情報がメモリに記憶されるなどして設定される。
【００１０】
また、当該無線通信システムは、例えば、基地局装置の側に、回線制御装置や、指令装置などを有する構成とすることもできる。
また、動作停止命令の指示信号としては、種々な信号が用いられてもよく、例えば、命令対象となる通信機器に固有な識別情報が当該指示信号に含まれる。
また、所定の動作停止状態としては、種々な状態が用いられてもよく、例えば、通常の状態と比べて、全部の機能が使用不可能となる状態や、或いは、一部の機能が使用不可能となる状態を用いることができる。
【００１１】
本発明に係る無線通信システムでは、次のような構成とした。
すなわち、当該無線通信システムでは、複数の通信機器から構成された移動局装置と、基地局装置を有し、前記通信機器と前記基地局装置とが無線により通信する。
前記通信機器の動作停止状態として、異なる動作停止内容を規定する複数種類のモードの状態が設けられている。
前記複数の通信機器のそれぞれには、呼出情報として用いられる各移動局装置毎に共通な識別情報と、各通信機器毎に固有な識別情報が設定されている。
当該無線通信システムでは、動作停止命令手段が、識別情報（前記各移動局装置毎に共通な識別情報、又は、前記各通信機器毎に固有な識別情報）を用いて前記通信機器を指定して所定のモードを指定する動作停止命令の指示信号を前記基地局装置により前記通信機器に対して送信する。
前記通信機器では、受信手段が、前記基地局装置から前記動作停止命令の指示信号を受信し、そして、動作停止手段が、受信された前記動作停止命令の指示信号により指定された識別情報が自機の識別情報（２種類の識別情報の内で指定に用いられたものに対応した識別情報）と一致する場合に前記動作停止命令の指示信号により指定されたモードの動作停止状態へ移行する。
【００１２】
従って、通信機器の動作停止状態として複数種類のモードの状態が用いられるため、例えば、通信機器の動作停止内容を段階的に制限することなどを実現することができ、移動局装置（ここでは、各通信機器）を効果的に動作停止状態に設定することができる。
また、一例として、通信機器の送信を禁止して受信を許容するモードを設けた場合には、識別情報（各移動局装置毎に共通な識別情報、又は、各通信機器毎に固有な識別情報）を用いて通信機器を指定して当該モードの動作停止状態を解除するための指示信号を基地局装置から無線により送信し、これを受信した通信機器が指定された識別情報が自機の識別情報と一致した場合に当該モードの動作停止状態を解除することができる。
【００１３】
ここで、複数種類のモードの数としては、種々な数が用いられてもよい。
また、各モードにおける動作停止内容としては、それぞれ、種々な内容が用いられてもよい。
また、モードを指定する動作停止命令の指示信号としては、種々な信号が用いられてもよく、例えば、命令対象となる通信機器の識別情報（各移動局装置毎に共通な識別情報、又は、各通信機器毎に固有な識別情報）及び当該モードを識別する情報が当該指示信号に含まれる。
【００１４】
本発明に係る無線通信システムでは、一構成例として、次のような構成とした。
すなわち、前記複数種類のモードには、電源オン時における位置登録のための送受信を除いて受信を可能として送信を不可能とするモード（送信不可モード）、或いは、電源オン時における位置登録のための送受信を除いて制御データの受信と制御データの送信と通信データの送信と通話データの送信を可能として通信データの受信と通話データの受信を不可能とするモード（緊急モード）、或いは、電源オン時における位置登録のための送受信を除いて受信も送信も不可能とするモード（動作停止モード）の１つ以上のモードが含まれる。
なお、通常のモードでは、送信も受信も可能とされる。
【００１５】
従って、移動局装置（ここでは、各通信機器）の状況などに応じて、複数種類のモードの中から任意のモードを設定することができ、それぞれの状況などに適した動作停止状態に設定することができる。
ここで、電源オン時（オフからオンへ切り替えられた時）における位置登録のための送受信では、例えば、移動局装置（ここでは、各通信機器）から基地局装置へ位置登録の要求を発し、これに応じて基地局装置が位置登録の許可又は動作停止の通知（或いは、命令）を発し、これに応じて移動局装置（ここでは、各通信機器）が通常の待ち受け状態又は動作停止状態となる。
また、例えば、制御データとしては無線通信や情報管理などに関する各種の制御のためのデータが用いられ、通信データとしてはテキストや画像などのデータが用いられ、通話データとしては電話の音声のデータが用いられる。
【００１６】
本発明に係る無線通信システムでは、一構成例として、次のような構成とした。
すなわち、当該無線通信システムでは、管理手段が、前記複数の通信機器のそれぞれについて、前記各移動局装置毎に共通な識別情報と、前記各通信機器毎に固有な識別情報と、動作停止状態の設定状況を管理する。
従って、例えば、基地局装置又は基地局装置より上位の装置において、各通信機器について２種類の識別情報や動作停止状態の設定状況をメモリに記憶するなどして一括して管理することができる。
【００１７】
本発明に係る無線通信システムでは、一構成例として、次のような構成とした。
すなわち、前記移動局装置は、車両に設けられる。また、前記移動局装置を構成する複数の通信機器は、車載機と携帯機である。
従って、例えば、消防車や救急車などの車両に車載機を搭載するとともに持ち運びが可能な携帯機を設け、隊員などが車載機や携帯機を用いて基地局装置の側と通話などする構成において、車載機や携帯機を効果的に全部或いは一部の動作停止状態に設定することができる。
【００１８】
本発明では、移動局装置や、基地局装置或いは回線制御装置或いは指令装置などの１つ以上からなる管理側装置を提供することも可能である。
一例として、本発明に係る移動局装置では、複数の通信機器から構成され、当該通信機器により基地局装置と無線により通信する構成において、次のような構成とした。
すなわち、前記複数の通信機器のそれぞれには、呼出情報として用いられる各移動局装置毎に共通な識別情報と、各通信機器毎に固有な識別情報が設定されている。
前記通信機器では、受信手段が、前記各通信機器毎に固有な識別情報を用いて前記通信機器を指定して前記基地局装置から送信される動作停止命令の指示信号を受信し、そして、動作停止手段が、受信された前記動作停止命令の指示信号により指定された前記各通信機器毎に固有な識別情報が自機の識別情報と一致する場合に所定の動作停止状態へ移行する。
【００１９】
一例として、本発明に係る管理側装置では、次のような構成により、複数の通信機器から構成された移動局装置の当該通信機器に対して、動作停止命令の指示信号を送信する。
すなわち、前記複数の通信機器のそれぞれには、呼出情報として用いられる各移動局装置毎に共通な識別情報と、各通信機器毎に固有な識別情報が設定されている。
当該管理側装置では、動作停止命令手段が、前記各通信機器毎に固有な識別情報を用いて前記通信機器を指定して動作停止命令の指示信号を前記通信機器に対して送信する。
【発明の効果】
【００２０】
以上説明したように、本発明に係る無線通信システムなどによると、複数の通信機器のそれぞれに各移動局装置毎に共通な識別情報と各通信機器毎に固有な識別情報が設定され、各通信機器毎に固有な識別情報を用いて通信機器を指定して動作停止命令が為されるようにしたため、例えば、移動局装置（ここでは、各通信機器）を効果的に動作停止状態に設定することができ、動作停止状態にした通信機器と同一な呼出情報を使用することが可能となる。
また、本発明に係る無線通信システムなどによると、通信機器の動作停止状態として複数種類のモードの状態が設けられ、モードを指定して動作停止命令が為されるようにしたため、例えば、通信機器の動作停止内容を段階的に制限することなどを実現することができ、移動局装置（ここでは、各通信機器）を効果的に動作停止状態に設定することができる。
【発明を実施するための最良の形態】
【００２１】
本発明に係る実施例を図面を参照して説明する。
まず、図１及び図２を参照して、本発明を適用することが可能なシステムの一例を示す。
図１には、防災デジタル無線システムの一例である消防デジタル無線システムの構成例を示してある。
本例の消防デジタル無線システムは、操作部１１と表示部１２と記憶部１３を有する指令装置（指令卓）１と、回線制御装置（無線回線制御装置）２と、複数であるｎ個の基地局装置Ａ１〜Ａｎと、複数であるｎ個の遠隔制御器Ｂ１〜Ｂｎと、複数であるｍ個の移動局装置Ｃ１〜Ｃｍを備えている。
各移動局装置Ｃ１〜Ｃｍは、車載機２１と携帯機２２から構成されており、また、携帯機２２を置くための置台２３を有している。
【００２２】
本例の消防デジタル無線システムは、東京都など各都道府県の地域防災のために用いることができる。本例では、指令装置１や回線制御装置２は防災センタに設置されており、各基地局装置Ａ１〜Ａｎは消防署内或いはビルの上や街中や山上などの外部に設置されており、各遠隔制御器Ｂ１〜Ｂｎは消防署内に設置されており、各移動局装置Ｃ１〜Ｃｍは消防車或いは救急車などの車両に設置されている。
各車両では、例えば、車載機２１や置台２３が当該各車両に取り付けられるなどして搭載されており、携帯機２２は人により持ち運ぶことや置台２３に置くことが可能になっている。
なお、図１に示されるのと同様なシステムを複数設けて、いずれかのシステムを運用するとともに他のシステムを予備として待機させ、運用しているシステムが故障したときに予備のシステムを運用させることで全体の運用を継続させるような構成とすることも可能である。
また、基地局装置Ａ１〜Ａｎとの間で通信する配下の装置としては、例えば、固定機、半固定機、携帯機、可搬機など、種々なものが用いられてもよい。
【００２３】
本例の消防デジタル無線システムにおいて行われる動作の概要を示す。
指令装置１では、操作部１１が人（指令者）により操作されることにより各種の指示や情報を入力し、表示部１２が表示対象となる各種の情報を画面に表示出力し、メモリから構成された記憶部１３が記憶対象となる各種の情報を記憶する。
指令者は、指令装置１から配下の装置（回線制御装置２、基地局装置Ａ１〜Ａｎ、遠隔制御器Ｂ１〜Ｂｎ、移動局装置Ｃ１〜Ｃｍ）へ各種の指示を送信することができる。また、指令者は、指令装置１が配下の装置から受信した各種の情報を画面表示により見ることができる。また、必要な情報は、記憶部１３に保持される。
【００２４】
回線制御装置２は、例えば有線で指令装置１と複数の基地局装置Ａ１〜Ａｎと接続されており、これらの間の通信を中継し、また、無線回線などに関する各種の制御を行う。
各基地局装置Ａ１〜Ａｎは、通信可能な領域（エリア）に存在する移動局装置Ｃ１〜Ｃｍとの間で無線により通信し、また、有線で接続された各遠隔制御器Ｂ１〜Ｂｎとの間で通信する。
各遠隔制御器Ｂ１〜Ｂｎは、有線で接続された各基地局装置Ａ１〜Ａｎとの間で通信し、例えば、移動局装置と同様な機能を有しており、人（署員）により操作などされる。
各移動局装置Ｃ１〜Ｃｍは、当該各移動局装置Ｃ１〜Ｃｍが収容される基地局装置Ａ１〜Ａｎとの間で無線により通信する。
【００２５】
図２には、車載機２１の構成例及び携帯機２２の構成例を示してある。
車載機２１は、アンテナ３１と、無線部３２と、キー操作部３３と、表示部３４と、マイクを有するマイク部３５と、例えば２つのスピーカを有するスピーカ部３６と、メモリ３７と、携帯インタフェース３８と、制御部３９を備えている。
携帯機２２は、アンテナ４１と、無線部４２と、キー操作部４３と、表示部４４と、マイクを有するマイク部４５と、スピーカを有するスピーカ部４６と、メモリ４７と、車載インタフェース４８と、制御部４９を備えている。
ここで、車載機２１が有する内部の処理機能と携帯機２２が有する内部の処理機能は、例えばスピーカの数が異なるなどの相違はあるが、概略的には、同様である。
【００２６】
車載機２１では、無線部３２がアンテナ３１により基地局装置Ａ１〜Ａｎとの間で信号を無線送信や無線受信し、キー操作部３３が人（使用者）からのキー操作を受け付け、表示部３４が使用者に対して情報を画面に表示し、マイク部３５が使用者などにより発せられる音（音声）を入力し、スピーカ部３６が使用者に対して音（音声）を出力し、メモリ３７が例えば呼び出されるための電話番号となる呼出情報（ＩＤ情報）を記憶し、携帯インタフェース３８が携帯機２２の車載インタフェース４８との間で例えば光信号により通信し、制御部３９が各種の制御を行う。
【００２７】
同様に、携帯機２２では、無線部４２がアンテナ４１により基地局装置Ａ１〜Ａｎとの間で信号を無線送信や無線受信し、キー操作部４３が人（使用者）からのキー操作を受け付け、表示部４４が使用者に対して情報を画面に表示し、マイク部４５が使用者などにより発せられる音（音声）を入力し、スピーカ部４６が使用者に対して音（音声）を出力し、メモリ４７が例えば呼び出されるための電話番号となる呼出情報（ＩＤ情報）を記憶し、車載インタフェース４８が車載機２１の携帯インタフェース３８との間で例えば光信号により通信し、制御部４９が各種の制御を行う。
【００２８】
ここで、車載機２１のメモリ３７に記憶される呼出情報（ＩＤ情報）と携帯機２２のメモリ４７に記憶される呼出情報（ＩＤ情報）としては、同一の情報が設定される。
また、車載機２１と携帯機２２とは、携帯機２２が置台２３に置かれた状態では携帯インタフェース３８と車載インタフェース４８との間で通信することが可能であるが、例えば、携帯機２２が置台２３から取り外されて持ち運ばれる状態では携帯インタフェース３８と車載インタフェース４８との間では通信しない。
【００２９】
本例では、携帯機２２が置台２３にセットされている（置かれている）状態では、携帯機２２は特に機能せず、基地局装置Ａ１〜Ａｎからの受信や、基地局装置Ａ１〜Ａｎへの送信や、キー入力や、表示出力や、音声入力や、音声出力などは全て車載機２１により行われる。
一方、携帯機２２が置台２３から取り外された状態では、携帯機２２により基地局装置Ａ１〜Ａｎからの受信や、基地局装置Ａ１〜Ａｎへの送信や、キー入力や、表示出力や、音声入力や、音声出力などの全てが行われ、この状態では、車載機２１により基地局装置Ａ１〜Ａｎからの受信や、表示出力や、音声出力のみが行われる。つまり、車載機２１と携帯機２２とは同一の呼出情報（ＩＤ情報）が設定されており、受信は両方で同時に行うことが可能であるが、送信は片方ずつ行う構成となっている。
【００３０】
なお、置台２３から取り外された携帯機２２は、車載機２１を介さずに、基地局装置Ａ１〜Ａｎとの間で直接的に無線通信する。この点は、通常の親子電話の子機とは異なる点であると考えられる。
また、携帯機２２が置台２３にセットされた状態や置台２３から取り外された状態は、車載機２１や携帯機２２により検出されて、それぞれの制御部３９、４９によりそのときの状態に応じて実行可能な機能（或いは、実行不可能な機能）が設定される。
【００３１】
また、車載機２１では、２つのスピーカを有しており、例えば、携帯機２２が置台２３から取り外された状態では、基地局装置Ａ１〜Ａｎから携帯機２２へ送信される通話の内容を一のスピーカから音声出力するとともに、携帯機２２から基地局装置Ａ１〜Ａｎへ送信される通話の内容を他のスピーカから音声出力する。
一例として、消防車などに移動局装置Ｃ１〜Ｃｍが設けられており、当該消防車などが火災などの現場にいて、或る隊員が携帯機２２を持って当該消防車などの外部に出て活動し、他の隊員が当該消防車などの内部で待機する際に、当該他の隊員は車載機２１から出力される音声を聞くことにより、携帯機２２と基地局装置Ａ１〜Ａｎとの間で行われる通話の内容を聞くことができる。
なお、例えば、基地局装置Ａ１〜Ａｎから移動局装置Ｃ１〜Ｃｍへの下りの通信と、移動局装置Ｃ１〜Ｃｍから基地局装置Ａ１〜Ａｎへの上りの通信とでは、異なる周波数が用いられる。
【００３２】
また、基地局装置Ａ１〜Ａｎの側（例えば、指令装置１）と移動局装置Ｃ１〜Ｃｍとの間の通信としては、例えば、プレストーク通信が行われる構成が用いられてもよく、或いは、通常の携帯電話のような両方向同時通信が行われる構成が用いられてもよく、或いは、他の態様の通信が行われる構成が用いられてもよい。また、基地局装置Ａ１〜Ａｎの側から移動局装置Ｃ１〜Ｃｍへ報知のための情報を送信して、移動局装置Ｃ１〜Ｃｍが当該情報の受信に応じて当該情報を（自動的に）出力するような構成を用いることもできる。
【００３３】
消防車の場合には、例えば、プレストーク通信が用いられ、指令装置１から複数の消防車の移動局装置Ｃ１〜Ｃｍを呼び出してグループ通信（例えば、事業リンクでのグループ通信）し、このグループ内でプレストーク通信することにより、これら複数の消防車により同一の火災現場の処置を行うことができる。
救急車の場合には、例えば、通常の電話のような通信が用いられ、発話（発呼）及び受話により通話を行うことができる。
また、例えば、車載機２１と携帯機２２との間で離れた所でも無線により通信することが可能な機能を車載機２１及び携帯機２２に設けることも可能である。この場合、一例として、トンネル内などの不感地帯で携帯機２２を車両の外部に持ち出すときに、車載機２１と携帯機２２をトランシーバのように用いて互いに通話することができる。
【実施例１】
【００３４】
本発明の第１実施例を説明する。
図３には、デジタル移動通信システムである無線通信システムの一例を示してある。
具体的には、送信アンテナ５１と受信アンテナ５２と無線装置５３と制御装置５４を備えた基地局装置や、指令卓５５や、車両に設けられた複数の移動局装置Ｄ１〜Ｄ５や、人により持ち運ばれる複数の携帯機Ｅ１〜Ｅ３や、前記基地局装置の通信可能なエリア（基地局ゾーン）６１を示してある。
ここで、各移動局装置Ｄ１〜Ｄ５は、車載機と携帯機と置台から構成されている。
【００３５】
図４には、回線制御装置７１及び基地局装置７２の側から移動局装置Ｄ１〜Ｄ５（本例では、車載機７３と携帯機７４）を動作停止状態に設定するため及び当該動作停止状態を解除するための構成例を示してある。
回線制御装置７１は、メモリ８１を備えており、当該メモリ８１に動作停止に関する情報を記憶している。
車載機７３は、メモリ８２を備えており、当該メモリ８２に自機の呼出情報（ＩＤ情報）や、自機の動作停止用識別情報を記憶している。
携帯機７４は、車載機７３と組になるものであり、メモリ８３を備えており、当該メモリ８３に自機の呼出情報（ＩＤ情報）や、自機の動作停止用識別情報を記憶している。
【００３６】
ここで、車載機７３に設定されたＩＤ情報と携帯機７４に設定されたＩＤ情報とは同一の情報である一方、車載機７３に設定された動作停止用識別情報と携帯機７４に設定された動作停止用識別情報とは異なる情報である。本例では、各機器の動作停止用識別情報として、当該各機器に固有なマシンコード（例えば、製造番号）を用いている。
このように、本例では、車載機７３や携帯機７４は、発着信時に電話番号として使用されるＩＤ情報とは別に、各機器毎に固有な動作停止用識別情報をメモリ８２、８３に保持している。そして、本例では、このような動作停止用識別情報を、動作停止状態を設定或いは解除する対象となる機器を指定する情報として用いる。
【００３７】
具体的には、車載機７３或いは携帯機７４が盗難や紛失などされた際に、これが不正に使用されることを防止するために、回線制御装置７１の機能（例えば、管理監視機能）による制御により、基地局装置７２から対象となる車載機７３或いは携帯機７４に対してその動作停止用識別情報を含む動作停止命令の指示信号を無線により送信する。
図５には、車載機７３或いは携帯機７４により行われる動作停止処理の手順の一例を示してある。
すなわち、上記のような動作停止命令の指示信号を受信した車載機７３或いは携帯機７４では、当該指示信号を解析し（ステップＳ１）、当該指示信号に含まれる動作停止用識別情報を検出して、当該検出した動作停止用識別情報が自機７３、７４のメモリ８２、８３に記憶された動作停止用識別情報と同一であるか否かを判定し（ステップＳ２）、同一である場合には、自機７３、７４を動作停止状態に設定する（ステップＳ３）。
【００３８】
このように、動作停止用の識別情報を用いて車載機７３或いは携帯機７４を動作停止状態とすると、ＩＤ情報については動作停止状態が設定されていないため、動作停止状態となった車載機７３或いは携帯機７４が使用されないようにしつつ、それと同一のＩＤ情報を新たに別の車載機或いは携帯機に登録（設定）して使用することができ、同一のＩＤ情報（例えば、電話番号）を再使用することができる。つまり、この新たな車載機或いは携帯機では、動作停止状態となった車載機或いは携帯機とは動作停止用識別情報が異なっているため、通常に使用されることが可能である。
【００３９】
本例では、動作停止状態が設定された車載機７３或いは携帯機７４では、人による操作を受け付けず、電源がオフからオンにされたときに行われる位置登録のための送受信を除いては、基地局装置７２との間での送受信はできなくなる。
図６には、携帯機７３或いは車載機７４と基地局装置７２との間で行われる位置登録のための送受信により実現される動作停止処理及び動作停止解除処理の流れの一例を示してある。
なお、図６に示される処理は、例えば、動作停止状態にある車載機７３或いは携帯機７４においても、通常の状態（動作停止状態ではない状態）にある車載機７３或いは携帯機７４においても、行われる。
【００４０】
車載機７３或いは携帯機７４は、電源がオフからオンへ切り替えられた後に、まず、自機７３、７４のメモリ（例えば、メモリ８２、８３）内に登録されている複数の周波数（基地局装置からの信号の周波数）について報知情報の受信電界を測定して、例えば測定された受信電界強度が一番高い周波数に対応した基地局装置７２を通信相手として設定する。車載機７３或いは携帯機７４は、当該設定の後、基地局装置７２から定期的に無線送信される報知情報を受信すると、これに応じて自機７３、７４の動作停止用識別情報を含む位置登録のための情報を無線送信する。
【００４１】
回線制御装置７１では各機器（各車載機及び各携帯機）が動作停止状態にあるか否かをメモリ８１に記憶して管理しており、動作停止状態が設定されている車載機７３或いは携帯機７４に対しては動作停止状態であることを示す位置登録応答の情報を基地局装置７２から無線送信し、これを受信したことに応じて当該車載機７３或いは携帯機７４は動作停止状態となる。一方、回線制御装置７１では、もともと動作停止状態にされていない車載機７３或いは携帯機７４又は動作停止状態にされたが管理者（例えば、指令者）などにより動作停止が解除された車載機７３或いは携帯機７４に対しては、正常（成功）な位置登録応答の情報を基地局装置７２から無線送信し、これを受信したことに応じてこれらの車載機７３或いは携帯機７４は、もともと動作停止状態が設定されていない場合にはそのまま待ち受け動作を続け、また、動作停止状態が設定されていた場合には当該設定を解除して待ち受け状態となる。
【００４２】
以上のように、本例の無線通信システムでは、少なくとも１つの基地局装置７２と複数の通信機器（本例では、車載機７３や携帯機７４）を有する構成において、通信機器を識別する情報を複数用いることにより、或る通信機器を動作停止状態にした場合においても、通話時に使用するＩＤ情報を変更することなく新たな通信機器を代わりに使用することが可能となる。
【００４３】
一構成例として、指令卓５５或いは回線制御装置７１などが複数の移動局装置（本例では、車載機７３や携帯機７４）について各移動局装置の電話番号に相当するＩＤ情報と各機器固有のマシンコードに相当する動作停止用識別情報を記憶した一覧メモリテーブルを有し、複数の移動局装置の各々（本例では、車載機７３や携帯機７４）が自機のＩＤ情報と動作停止用識別情報を記憶する。そして、任意の通信機器（本例では、車載機７３或いは携帯機７４）に対して動作停止を実行する場合には、当該通信機器の動作停止用識別情報を指定して当該通信機器のＩＤ情報にて動作停止命令の指示信号を基地局装置７２から送出し、前記一覧メモリテーブルにおいて当該指示信号で指定した動作停止用識別情報に対応した通信機器を動作停止状態として記憶する。
また、動作停止状態に設定された通信機器のＩＤ情報を新たな他の通信機器のＩＤ情報として設定して前記一覧メモリテーブルに記憶することにより、当該他の通信機器により当該ＩＤ情報を用いた通信を行うことが可能となる。
【００４４】
従って、本例の無線通信システムでは、通話時に使用するＩＤ情報について、動作停止した通信機器（本例では、車載機７３や携帯機７４）と同一のＩＤ情報を他の通信機器に付与して使用することができる。
例えば、車載機７３と携帯機７４の組について、いずれか一方のみを紛失などしてしまった場合には、動作停止用識別情報を用いて紛失などした機器を基地局装置７２から動作停止状態に設定して、当該機器に代わる新たな機器に同一のＩＤ情報を設定することにより、紛失などしていない他方の機器についてはそのままＩＤ情報を変えずに使用を継続することができる。なお、紛失などした機器と代わりの機器とでは、動作停止用識別情報は異なる情報とされる。
【００４５】
なお、本例の無線通信システムでは、呼出情報（ＩＤ情報）により各移動局装置毎に共通な識別情報が構成されており、動作停止用識別情報により各通信機器７３、７４毎に固有な識別情報が構成されており、指令卓５５や回線制御装置７１が基地局装置７２を介して車載機７３や携帯機７４に対して動作停止命令の指示信号を無線送信する機能により動作停止命令手段が構成されており、回線制御装置７１などが各通信機器７３、７４について動作停止状態の設定状況などを管理する機能により管理手段が構成されている。
また、本例の車載機７３や携帯機７４では、動作停止命令の指示信号を無線受信する機能により受信手段が構成されており、自機に対する動作停止命令の指示信号を受信したことに応じて動作停止状態へ移行する機能により動作停止手段が構成されている。
【実施例２】
【００４６】
本発明の第２実施例を説明する。
なお、上記した第１実施例と同様な構成や動作については説明を省略或いは簡易化する。
本例では、車載機７３或いは携帯機７４に設定する状態として、通常の動作状態と、位置登録のための送受信以外の全ての機能が停止される動作停止状態のほかに、各種の状態を用意しておいて、車載機７３或いは携帯機７４の使用状況などに応じて各状態を当該車載機７３或いは当該携帯機７４に基地局装置７２から設定する。
【００４７】
図７には、車載機７３や携帯機７４に設定される各状態のモードの内容を規定したモード内容テーブルの一例を示してある。
本例では、モード内容テーブルが回線制御装置７１のメモリ８１に記憶されているが、他の構成例として、回線制御装置７１に接続されたコンピュータのメモリや、或いは、指令卓５５に記憶されるような構成が用いられてもよい。
モード１（通常モード）は、車載機７３或いは携帯機７４の全ての機能が通常通りに使用可能な通常状態のモードである。
【００４８】
モード２（送信不可モード）は、車載機７３或いは携帯機７４において制御データや通信データや通話（音声）データの受信は可能であるがこれらのデータの送信は不可能とされる送信不可状態のモードである。このモード２では、車載機７３或いは携帯機７４において、受信のみが可能であり、例えば、基地局装置７２への位置登録の要求が拒否された後には、制御データや通信データや通話データの送信はしないが、これらのデータの受信や受信データの表示出力や受信通話（受信音声）のスピーカ出力はする。この状態では、車載機７３或いは携帯機７４において電源のオンオフ切替が為されなくとも、基地局装置７２から設定されているモード２を解除して他のモード（例えば、通常モード）へ移行させる指示信号を無線送信して、当該指示信号を車載機７３或いは携帯機７４により受信することにより、モードの解除や他のモードへの移行を容易に行うことができる。また、この状態では、送信が為されないため、他の通信機器への影響を回避することができ、例えば、盗難などされたときにも送信が為されないようにすることができる。車載機７３と携帯機７４とは１組になっているため、例えば、片方が盗難などされて送信されると他方と混線する可能性があり、誤った情報が流れる可能性がある。
【００４９】
モード３（緊急モード）は、車載機７３或いは携帯機７４において制御データの受信や各データの送信は可能であるが通信データや通話データの受信は不可能とされる緊急状態のモードである。このモード３では、車載機７３或いは携帯機７４において、通信データの受信及びその出力や通話データの受信及びその出力が為されないため、車載機７３或いは携帯機７４が機能していないように見せることができ、且つ、データや音声の送信は為されるために、周囲の音声や画像（例えば、車載機７３或いは携帯機７４に設けられたカメラによる撮影画像）などを指令卓５５などに対して送信して知らせることができる。例えば、緊急時に、車載機７３或いは携帯機７４をモード３に設定し、周囲の音声や画像などを自動的に入力して上位の装置（指令卓５５など）に対して無線送信する構成とすると、犯人などから見ると車載機７３或いは携帯機７４が動作していないように見えるが、その場の状況（音声や画像など）を上位の装置へ通知することができる。
【００５０】
モード４（動作停止モード）は、図６に示されるような電源投入時における位置登録のための送受信を除いては、車載機７３或いは携帯機７４の全ての機能が不使用とされる動作停止状態のモードである。
なお、本例で示したモード１〜４以外にも、種々なモードが用いられてもよく、例えば、制御データの受信、通信データの受信、通話データの受信、制御データの送信、通信データの送信、通話データの送信などの各機能をそれぞれオンオフすることが可能である。
【００５１】
図８には、各車載機７３や各携帯機７４の状態を記憶する機器状態テーブルの一例を示してある。
本例では、機器状態テーブルが回線制御装置７１のメモリ８１に記憶されているが、他の構成例として、回線制御装置７１に接続されたコンピュータのメモリや、或いは、指令卓５５に記憶されるような構成が用いられてもよい。
本例の機器状態テーブルでは、呼出情報（ＩＤ情報）と、動作停止用識別情報として使用されるマシンコードと、設定されているモードの種類（本例では、モードの番号）と、機器の種別（本例では、車載機であるか或いは携帯機であるか）とが対応付けられている。
【００５２】
一例として、ＩＤ情報が０００１でありマシンコードが０５１００１であり種別が携帯機である機器には、モード１が設定されている。他の一例として、ＩＤ情報が０００２でありマシンコードが０５１００３であり種別が携帯機である機器には、モード２が設定されている。他の一例として、ＩＤ情報が０００３でありマシンコードが０５１００６であり種別が車載機である機器には、モード３が設定されている。
また、本例では、ＩＤ情報が０００２でありマシンコードが０５１００３である携帯機が紛失などされてモード２（送信不可モード）とされていることに応じて、異なるマシンコード（０５１００７）を有する他の携帯機に同一のＩＤ情報（０００２）が付与されて使用されておりモード１が設定されている。
【００５３】
例えば、モード４のように電源のオンオフ切替をしないと動作停止状態が解除され得ない状態では、誤操作などで設定されたときには解除が為されないことがあり使用者にとって不便なことも多い。
そこで、本例では、動作制限のためのモードを複数用意して、その中に送信ができないモード２を追加することで、当該モード２において車載機７３或いは携帯機７４により常に基地局装置７２からの情報を受信することを可能とした。
【００５４】
図９には、モード２（送信不可モード）の設定処理及び解除処理の流れの一例を示してある。
車載機７３或いは携帯機７４が待ち受け状態であるときに、回線制御装置７１及び基地局装置７２の側で当該車載機７３或いは当該携帯機７４に対してモード２が設定されると、当該車載機７３或いは当該携帯機に対してモード２を設定するための指示信号を基地局装置７２から無線送信し、これを受信したことに応じて当該車載機７３或いは当該携帯機７４ではモード２が設定されて受信は可能であるが送信が不可能な状態となる。その後、回線制御装置７１及び基地局装置７２の側で当該車載機７３或いは当該携帯機７４に対してモード２の解除が設定されると、当該車載機７３或いは当該携帯機に対してモード２を解除するための指示信号を基地局装置７２から無線送信し、これを受信したことに応じて当該車載機７３或いは当該携帯機７４ではモード２が解除されて例えばモード１（通常モード）へ移行して待ち受け状態となる。このように、基地局装置７３から容易にモード２（送信不可モード）の設定或いは解除を行うことができる。
【００５５】
以上のように、本例の無線通信システムでは、少なくとも１つの基地局装置７２と複数の通信機器（本例では、車載機７３や携帯機７４）を有する構成において、基地局装置７２からの命令により段階的に各通信機器の機能を制限することができる。このような機能制限として、本例では、複数のモードを用意して、これら複数のモードのうちの任意の１つを選択して設定することができる。
従って、本例の無線通信システムでは、各通信機器（本例では、車載機７３や携帯機７４）の機能を段階的に制限して、その状況に合わせたモードを設定することができる。また、通信機器を送信不可にするモード２を設けたことにより、基地局装置７２から通信機器に対して容易にモード２の設定或いは解除を指示することができる。
【００５６】
ここで、本例では、マシンコード（動作停止用識別情報）を用いて通信機器（本例では、車載機７３や携帯機７４）を指定して段階的な機能制限（本例では、各モードの設定や解除）を行う構成としたが、他の構成例として、マシンコード（動作停止用識別情報）を用いずに、呼出情報（ＩＤ情報）を用いて通信機器を指定して段階的な機能制限を行うこともできる。
また、段階的な機能制限（本例では、各モードの設定や解除）は、マシンコード（動作停止用識別情報）を用いると、車載機７３と携帯機７４とで別個に制御することができる。
【００５７】
なお、本例の無線通信システムでは、呼出情報（ＩＤ情報）により各移動局装置毎に共通な識別情報が構成されており、動作停止用識別情報により各通信機器７３、７４毎に固有な識別情報が構成されており、指令卓５５や回線制御装置７１が基地局装置７２を介して車載機７３や携帯機７４に対して各種のモードを指定する動作停止命令の指示信号を無線送信する機能により動作停止命令手段が構成されており、回線制御装置７１などが各通信機器７３、７４について各モードの動作停止状態の設定状況などを管理する機能により管理手段が構成されている。
また、本例の車載機７３や携帯機７４では、動作停止命令の指示信号を無線受信する機能により受信手段が構成されており、自機に対する動作停止命令の指示信号を受信したことに応じて指定されたモードの動作停止状態へ移行する機能により動作停止手段が構成されている。
【００５８】
なお、以上の実施例では、動作停止用の識別情報を用いて通信機器に所定の状態（所定のモード）を設定する構成を、複数の通信機器（本例では、車載機及び携帯機）から構成される移動局装置に適用した場合を示したが、例えば、移動局装置が単体の通信機器として構成される場合に適用することも可能である。
【００５９】
ここで、本発明に係るシステムや装置（機器）などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るシステムや装置（機器）などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６０】
【図１】消防デジタル無線システムの構成例を示す図である。
【図２】車載機及び携帯機の構成例を示す図である。
【図３】本発明の一実施例に係る無線通信システムの概略的な構成例を示す図である。
【図４】動作停止処理を行うための構成例を示す図である。
【図５】動作停止処理の手順の一例を示す図である。
【図６】動作停止処理及び動作停止解除処理の流れの一例を示す図である。
【図７】モード内容テーブルの一例を示す図である。
【図８】機器状態テーブルの一例を示す図である。
【図９】送信不可モードの設定処理及び解除処理の流れの一例を示す図である。
【符号の説明】
【００６１】
１・・指令装置、  ２、７１・・回線制御装置、  １１・・操作部、  １２、３４、４４・・表示部、  １３・・記憶部、  ２１、７３・・車載機、  ２２、Ｅ１〜Ｅ３、７４・・携帯機、  ２３・・置台、  Ａ１〜Ａｎ、７２・・基地局装置、  Ｂ１〜Ｂｎ・・遠隔制御器、  Ｃ１〜Ｃｍ、Ｄ１〜Ｄ５・・移動局装置、  ３１、４１、５１、５２・・アンテナ、  ３２、４２・・無線部、  ３３、４３・・キー操作部、  ３５、４５・・マイク部、  ３６、４６・・スピーカ部、  ３７、４７・・メモリ、  ３８・・携帯インタフェース、  ３９、４９・・制御部、  ４８・・車載インタフェース、  ５３・・無線装置、  ５４・・制御装置、  ５５・・指令卓、  ６１・・基地局ゾーン、  ８１〜８３・・メモリ、
【図１】
0004598660.tif 000002
【図２】
0004598660.tif 000003
【図３】
0004598660.tif 000004
【図４】
0004598660.tif 000005
【図５】
0004598660.tif 000006
【図６】
0004598660.tif 000007
【図７】
0004598660.tif 000008
【図８】
0004598660.tif 000009
【図９】
0004598660.tif 000010